【事件の表示】
　特願２０１３−５４９４９９「光情報を使用した測位システム」拒絶査定不服審判事件〔平成２４年　７月１９日国際公開、ＷＯ２０１２／０９７００３、平成２６年　４月　３日国内公表、特表２０１４−５０８２８５、請求項の数（１１）〕について、次のとおり審決する。
【結　論】
　原査定を取り消す。
　本願の発明は、特許すべきものとする。
【理　由】
第１　手続の経緯　
　本願は、２０１２年１月１０日（パリ条約による優先権主張　２０１１年１月１１日（以下、「優先日」という。）　米国、２０１１年９月２３日　米国）を国際出願日とする出願であって、平成２６年７月２２日付けの拒絶理由通知に対して、平成２６年１０月２８日付けで手続補正がなされ、平成２７年３月２４日付けの最後の拒絶理由通知に対して、平成２７年９月３０日付けで手続補正がなされたが、平成２８年２月２４日付けで、平成２７年９月３０日付け手続補正でした補正の却下の決定がなされるとともに、同日付で拒絶査定（以下、「原査定」という）がなされ、これに対し、平成２８年７月１日に拒絶査定不服審判が請求され、同時に手続補正がなされたものである。
　その後、当審において平成２９年４月２６日付けで拒絶理由（以下、「当審拒絶理由」という。）が通知され、平成２９年８月２日付けで手続補正がなされたものである。
第２　本願発明
　本願の請求項１−１１に係る発明（以下、それぞれ「本願発明１」−「本願発明１１」という。）は、平成２９年８月２日付けの手続補正で補正された特許請求の範囲の請求項１−１１に記載された事項により特定される発明であり、本願発明１は以下のとおりのものである。
「【請求項１】
　ＳＰＳ信号を探索するための探索モードを開始する方法であって、
　モバイルデバイスの環境に基づいた光情報を受信すること、ここにおいて、前記光情報が色温度を示す情報を備える、と、
　位置支援情報を受信すること、ここにおいて、前記位置支援情報は太陽の角度を含む、と、
　前記受信された光情報を、前記位置支援情報に基づいて判断されるしきい値と比較することによって、前記モバイルデバイスの特徴付けられる環境を判断すること、ここにおいて、前記しきい値は、屋内しきい値及び屋外しきい値を含み、前記屋内しきい値及び前記屋外しきい値は、少なくとも前記太陽の角度に基づく色温度に基づいて判断される、と、
　前記特徴付けられる環境に基づいて前記探索モードを開始すること、ここにおいて、前記探索モードを前記開始することは、
　　前記受信された光情報が、前記屋外しきい値を超える場合、屋外探索モードを開始することと、
　　前記受信された光情報が、前記屋外しきい値を超えず、前記屋内しきい値を超える場合、屋内探索モードを開始することと、
　　前記受信された光情報が、前記屋外しきい値と前記屋内しきい値とのいずれも超えない場合、探索ウィンドウを広げること又は受信機の感度を高めることの少なくとも１つを備える一般探索モードを開始することと、
　を備える、と、
　を備える、方法。」
第３　引用文献、引用発明等
１　引用文献１について
　原査定の拒絶の理由に引用された引用文献１（特開２０１０−５４４５０号公報）には、図面とともに、次の事項が記載されている（下線は、当審で付与したものである。以下同様。）。
ａ　「【００１９】
  本実施形態に係る測位サーバ１０を詳細に説明する前に、測位対象であるセルラ端末２０について説明する。
セルラ端末２０は、
センサ２１と、セルラ通信部２２と、ＧＰＳ受信部２３と
を備えて構成されている。
【００２０】
  
センサ２１は、自端末２０に係る環境を検出する手段である。
センサ２１が検出する情報は、
セルラ端末２０に照射される紫外線の量である。
【００２１】
  また、
センサ２１が検出する情報は、セルラ端末２０に照射される光の量である。
ｂ　「【００２２】
  セルラ通信部２２は、セルラ通信システムのセルラ通信網（移動体通信網）に含まれる複数のセルラ基地局３０との間で無線通信することにより、セルラ通信（移動体通信）を行う手段である。セルラ通信部２２には、セルラ通信用のアンテナが設けられており、そのアンテナが用いられてセルラ通信が行われる。
セルラ通信部２２は、
測位のために用いられるセルラ通信による情報を取得する。
ｃ　「【００２４】
  
ＧＰＳ受信部２３は、ＧＰＳ衛星４０から送信される、測位に用いられる信号を受信する
ｄ　「【００３５】
  具体的には、
環境情報取得部１４は、
センサ２１
によって検出された情報に基づいて、セルラ端末２０が屋内にいるか否かを判定して、当該判定結果を、環境を示す情報とする。
【００３６】
  例えば、セルラ端末２０（のセンサ２１）によって検出された紫外線の量に基づいて屋内外を判定する。
具体的には、環境情報取得部１４は、予め紫外線の量に関する閾値を記憶しておき、セルラ端末２０によって検出された紫外線の量がその閾値を下回っているか否かを判断して、下回っていると判断される場合にはセルラ端末２０が屋内にいると判断する。なお、屋外における（太陽光による）紫外線の量は、時刻、季節、緯度等によって変化するので、それらの情報に基づいて調整されることが望ましい。この場合、環境情報取得部１４は、時刻、季節、緯度等の情報に応じた閾値（あるいは、閾値を補正する値）を予め記憶しておき、時刻、季節、緯度等の情報を取得してそれらの情報に基づいた閾値を自動的に設定することとする
ｅ　「【００４３】
  有効性推定部１５は、環境情報取得部１４によって取得されたセルラ端末２０に係る環境を示す情報に基づいて、ＧＰＳ測位の有効性を推定する有効性推定手段である。
有効性推定部１５は、環境情報取得部１４から、上記の環境を示す情報としてセルラ端末２０が屋内にいるか屋外にいるかを示す情報が入力されると
セルラ端末２０が屋外にあるとされた場合は、ＧＰＳ測位は有効であると推定し、セルラ端末２０が屋内にあるとされた場合は、ＧＰＳ測位は有効でないと推定される。
ｆ　「【００４５】
  ＧＰＳ測位制御部１６は、有効性推定部１５によって推定された有効性に基づいて、セルラ端末２０のＧＰＳ測位の実行を制御するＧＰＳ測位制御手段である。具体的には
、ＧＰＳ測位制御部１６は、ＧＰＳ測位が有効であるとされた場合、ＧＰＳ測位演算部１２に対して、ＧＰＳ測位を実行させるように制御する。
ＧＰＳ測位が有効でないとされた場合、基地局測位演算部１３に対して基地局測位を実行させるように制御する
ｇ　「【００４８】
  まず、セルラ端末２０において、
センサ２１によって検知された情報が
環境情報取得部１４によって当該情報が受信される。
ｈ　図４より、屋内外推定（Ｓ０２）では、屋内と判断されない場合は、屋外と判断していることが見て取れる。
　上記ａ〜ｈより、引用文献１には、次の発明（以下、「引用発明」という。）が記載されている（括弧内は、認定に用いた引用文献１の記載箇所を示す。）。
「セルラ端末２０は、センサ２１と、セルラ通信部２２と、ＧＰＳ受信部２３とを備えて構成されており（【００１９】）、
　センサ２１は、自端末２０に係る環境を検出する手段で、センサ２１が検出する情報は、セルラ端末２０に照射される紫外線の量であり（【００２０】）、
　センサ２１によって検知された情報が、環境情報取得部１４によって受信され（【００４８】）、
　環境情報取得部１４は、センサ２１によって検出された情報に基づいて、セルラ端末２０が屋内にいるか否かを判定して、当該判定結果を、環境を示す情報とし（【００３５】）、
　具体的には、環境情報取得部１４は、予め紫外線の量に関する閾値を記憶しておき、セルラ端末２０によって検出された紫外線の量がその閾値を下回っているか否かを判断して、下回っていると判断される場合にはセルラ端末２０が屋内にいると判断し、そうでない場合は屋外にいると判断し、屋外における（太陽光による）紫外線の量は、時刻、季節、緯度等によって変化するので、それらの情報に基づいて調整され、この場合、環境情報取得部１４は、時刻、季節、緯度等の情報に応じた閾値（あるいは、閾値を補正する値）を予め記憶しておき、時刻、季節、緯度等の情報を取得してそれらの情報に基づいた閾値を自動的に設定し（【００３６】、図４）、
　有効性推定部１５は、環境情報取得部１４から、上記の環境を示す情報としてセルラ端末２０が屋内にいるか屋外にいるかを示す情報が入力されると、セルラ端末２０が屋外にあるとされた場合は、ＧＰＳ測位は有効であると推定し、セルラ端末２０が屋内にあるとされた場合は、ＧＰＳ測位は有効でないと推定し（【００４３】）、
　ＧＰＳ測位制御部１６は、
　セルラ端末２０が屋外にあるとされた場合は、ＧＰＳ測位演算部１２に対して、ＧＰＳ測位を実行させるように制御し（【００４３】、【００４５】）、ＧＰＳ受信部２３は、ＧＰＳ衛星４０から送信される、測位に用いられる信号を受信し（【００２４】）、
　セルラ端末２０が屋内にあるとされた場合は、基地局測位演算部１３に対して基地局測位を実行させるように制御し（【００４３】、【００４５】）、セルラ通信部２２は、測位のために用いられるセルラ通信による情報を取得する（【００２２】）、
　方法。」
２　引用文献９について
　原査定の拒絶の理由に引用された引用文献９（特開平１０−６８７８７号公報）には、図面とともに、次の事項が記載されている。
「【００２８】高照度光照射装置を用いるのではなく、太陽光などの環境光を用いてもよい。この場合、時差ぼけ解消装置に環境光の照度や
色温度などの光環境を計測する光環境計測部
３　引用文献１０について
　原査定の拒絶の理由に引用された引用文献１０（特開平４−７０２２５号公報）には、図面とともに、次の事項が記載されている。
「
ホワイトバランスセンサ１４は被写界の色温度を検出する
４　引用文献３−７について
　原査定の拒絶の理由に引用された引用文献３−７は、次の通りである。
引用文献３：特表２００５−５０２８８９号公報
引用文献４：特開２００７−３６４８０号公報
引用文献５：特開２００９−２５０９３２号公報
引用文献６：特開２００７−６４９７８号公報
引用文献７：特開２００４−１５７０４７号公報
第４　対比・判断
１　本願発明１について
（１）対比
　本願発明１と引用発明を対比する。
ア　引用発明の「ＧＰＳ受信部２３」は、「ＧＰＳ衛星４０から送信される、測位に用いられる信号を受信し」ているので、「ＧＰＳ受信部２３」は、「ＧＰＳ衛星４０から送信される」「信号」を探索しているといえる。
　よって、引用発明の「方法」は、「セルラ端末２０が屋外にあるとされた場合」に、「ＧＰＳ受信部２３は、ＧＰＳ衛星４０から送信される、測位に用いられる信号を受信し」ているので、下記の相違点を除いて、本願発明１の「ＳＰＳ信号を探索するための探索モードを開始する方法」に相当するといえる。
イ　引用発明の「自端末２０に係る環境を検出する手段で」ある「センサ２１が検出する」「セルラ端末２０に照射される紫外線の量」である「情報」を、環境情報取得部１４が「受信」することは、本願発明１の「モバイルデバイスの環境に基づいた光情報を受信する」ことに相当する。
ウ　時刻、季節、緯度等が、「太陽」の角度に関係していることは明らかであるから、引用発明の「時刻、季節、緯度等の情報を取得」することと、本願発明１の「位置支援情報を受信すること、ここにおいて、前記位置支援情報は太陽の角度を含む」こととは、「位置支援情報を受信すること、ここにおいて、前記位置支援情報は太陽の角度に関係している」点で共通する。
エ　引用発明は「環境情報取得部１４は、時刻、季節、緯度等の情報に応じた閾値（あるいは、閾値を補正する値）を予め記憶しておき、時刻、季節、緯度等の情報を取得してそれらの情報に基づいた閾値を自動的に設定する」ので、
　引用発明の「閾値」は、本願発明１の「前記位置支援情報に基づいて判断されるしきい値」に相当する。
　よって、引用発明の「予め紫外線の量に関する閾値を記憶しておき、セルラ端末２０によって検出された紫外線の量がその閾値を下回っているか否かを判断して、下回っていると判断される場合にはセルラ端末２０が屋内にいると判断し、そうでない場合は屋外にいると判断する」ことは、本願発明１の「前記受信された光情報を、前記位置支援情報に基づいて判断されるしきい値と比較することによって、前記モバイルデバイスの特徴付けられる環境を判断する」ことに相当する。
オ　引用発明の「セルラ端末２０が屋外にあるとされた場合は、」「ＧＰＳ受信部２３は、ＧＰＳ衛星４０から送信される、測位に用いられる信号を受信し」は、本願発明１の「前記特徴付けられる環境に基づいて前記探索モードを開始すること」に相当する。
カ　引用発明の「紫外線の量がその閾値を下回っているか否かを判断して、下回っていると判断される場合にはセルラ端末２０が屋内にいると判断し、そうでない場合は屋外にいると判断」し、「セルラ端末２０が屋外にあるとされた場合は、」「ＧＰＳ受信部２３は、ＧＰＳ衛星４０から送信される、測位に用いられる信号を受信」することは、本願発明１の「前記受信された光情報が、前記屋外しきい値を超える場合、屋外探索モードを開始すること」に相当する。
　すると、本願発明１と引用発明とは、次の一致点及び相違点を有する。
（一致点）
「ＳＰＳ信号を探索するための探索モードを開始する方法であって、
　モバイルデバイスの環境に基づいた光情報を受信すること、
　位置支援情報を受信すること、ここにおいて、前記位置支援情報は太陽の角度に関係していること、と、
　前記受信された光情報を、前記位置支援情報に基づいて判断されるしきい値と比較することによって、前記モバイルデバイスの特徴付けられる環境を判断すること、
　前記特徴付けられる環境に基づいて前記探索モードを開始すること、ここにおいて、前記探索モードを前記開始することは、
　　前記受信された光情報が、前記屋外しきい値を超える場合、屋外探索モードを開始することと、
　を備える、と、
　を備える、方法。」　
（相違点１）
　本願発明１は、モバイルデバイスの環境に基づいた「光情報」が、「色温度を示す情報」を備えるのに対して、引用発明は、そのような特定がない点。
（相違点２）
　本願発明１は、「位置支援情報」が「太陽の角度を含む」のに対して、引用発明は、「時刻、季節、緯度等の情報を取得」しているが、「太陽の角度」を取得しているわけではない点。
（相違点３）
　本願発明１は、「しきい値」が、「屋内しきい値及び屋外しきい値を含み、前記屋内しきい値及び前記屋外しきい値は、少なくとも前記太陽の角度に基づく色温度に基づいて判断される」のに対して、引用発明は、そのような特定がない点。
（相違点４）
　本願発明１は、「受信された光情報」が、「前記屋外しきい値を超えず、前記屋内しきい値を超える場合、屋内探索モードを開始する」のに対して、引用発明は、「紫外線の量がその閾値を下回っているか否かを判断して、下回っていると判断される場合にはセルラ端末２０が屋内にいると判断し」、「セルラ端末２０が屋内にあるとされた場合は、」「セルラ通信部２２は、測位のために用いられるセルラ通信による情報を取得する」点。
（相違点５）
　本願発明１は、「受信された光情報」が、「前記屋外しきい値と前記屋内しきい値とのいずれも超えない場合、探索ウィンドウを広げること又は受信機の感度を高めることの少なくとも１つを備える一般探索モードを開始する」のに対して、引用発明は、そのような特定がない点。
（２）判断
　上記相違点１について検討する。
　引用発明は、「センサ２１が検出する情報は、セルラ端末２０に照射される紫外線の量」であり、また、引用文献１には「センサ２１が検出する情報は、セルラ端末２０に照射される光の量である」ことが記載されているが（上記「第３　１　ａ　【００２１】」）、「センサ２１」が、色温度を示す情報を検出することは記載されていない。
　
　一方、引用文献９、１０に記載されてるように、色温度を計測する技術は周知である（上記「第３　２」「第３　３」）。
　しかしながら、引用発明は、「センサ２１が検出する情報」である「紫外線の量がその閾値を下回っているか否かを判断」するもので、紫外線の「量」と「閾値」の比較によって判断を行っており、センサが、色温度を示す情報を検出する必要性はなく、
　引用発明において、上記周知技術を適用し、「センサ２１」を、色温度を示す情報を検出するセンサに換えることは、当業者が容易に想到し得えたことであるとはいえない。
　したがって、上記相違点１に係る本願発明１の構成は、引用発明、引用文献９、１０に記載された事項に基づいて、当業者が容易に想到し得えたことであるとはいえない。
　よって、本願発明１は、上記相違点２−５について検討するまでもなく、引用発明、引用文献９、１０に記載された事項に基づいて、当業者が容易に発明をすることができたとはいえない。
　また、引用文献２−７にも、上記相違点１に係る本願発明１の構成に相当する、モバイルデバイスの環境に基づいた、色温度を示す情報を検出することは記載も示唆もされていない。
２　本願発明２について
　本願発明１を引用する本願発明２は、本願発明１をさらに限定した発明であるから、引用発明、引用文献２、９，１０に記載された事項に基づいて、当業者が容易に発明をすることができたとはいえない。
３　本願発明３、４について
　本願発明１を引用する本願発明３、４は、本願発明１をさらに限定した発明であるから、引用発明、引用文献９、１０に記載された事項に基づいて、当業者が容易に発明をすることができたとはいえない。
４　本願発明５について
　本願発明１を間接的に引用する本願発明５は、本願発明１をさらに限定した発明であるから、引用発明、引用文献３、４、９、１０に記載された事項に基づいて、当業者が容易に発明をすることができたとはいえない。
５　本願発明６について
　本願発明１を間接的に引用する本願発明６は、本願発明１をさらに限定した発明であるから、引用発明、引用文献４−６、９、１０に記載された事項に基づいて、当業者が容易に発明をすることができたとはいえない。
６　本願発明７、８について
　本願発明１を直接または間接的に引用する本願発明７、８は、本願発明１をさらに限定した発明であるから、引用発明、引用文献７、９、１０に記載された事項に基づいて、当業者が容易に発明をすることができたとはいえない。
７　本願発明９について
　本願発明９は、本願発明１に対応する装置の発明であり、上記相違点１に係る本願発明１の「前記光情報が色温度を示す情報を備える」に対応する構成を備えるものであるから、本願発明１と同じ理由によって、引用発明、引用文献９、１０に記載された事項に基づいて、当業者が容易に発明をすることができたとはいえない。
８　本願発明１０について
　本願発明９を引用する本願発明１０は、本願発明９をさらに限定した発明であるから、引用発明、引用文献９、１０に記載された事項に基づいて、当業者が容易に発明をすることができたとはいえない。
９　本願発明１１について
　本願発明１を直接または間接的に引用する本願発明１１は、本願発明１をさらに限定した発明であるから、引用発明、引用文献９、１０に記載された事項に基づいて、当業者が容易に発明をすることができたとはいえない。
第５　原査定の拒絶の理由の概要及び原査定の理由についての判断
　原査定の拒絶の理由は、請求項１、３−５、１３−１５について上記引用文献１、９、１０に基づいて、請求項２について上記引用文献１、２、９、１０に基づいて、請求項６について上記引用文献１、３、４、９、１０に基づいて、請求項７について上記引用文献１、３−５、９、１０に基づいて、請求項８−１０について上記引用文献１、４−６、９、１０に基づいて、請求項１１、１２について上記引用文献１、７、９、１０に基づいて、当業者が容易に発明できたものであるから、特許法第２９条第２項の規定により特許を受けることができないというものである。
　しかしながら、平成２９年８月２日付け手続補正により補正された請求項１−１１は、「前記光情報が色温度を示す情報を備える」という事項を有するものとなっており、上記のとおり、本願発明１、３、４、９−１１は、引用発明、引用文献９、１０に記載された事項に基づいて、本願発明２は、引用発明、引用文献２、９，１０に記載された事項に基づいて、本願発明５は、引用発明、引用文献３、４、９、１０に記載された事項に基づいて、本願発明６は、引用発明、引用文献４−６、９、１０に記載された事項に基づいて、本願発明７、８は、引用発明、引用文献７、９、１０に記載された事項に基づいて、当業者が容易に発明をすることができたとはいえない。したがって、原査定を維持することはできない。
第６　当審拒絶理由について
　特許法第３６条第６項第１号について
　当審では、請求項１、１３に記載された「ＳＰＳを探索するための探索モードを開始する」は、発明の詳細な説明に記載したものでないとの拒絶の理由を通知しているが、平成２９年８月２日付けの手続補正により、「前記探索モードを前記開始することは、前記受信された光情報が、前記屋外しきい値を超える場合、屋外探索モードを開始することと、前記受信された光情報が、前記屋外しきい値を超えず、前記屋内しきい値を超える場合、屋内探索モードを開始することと、前記受信された光情報が、前記屋外しきい値と前記屋内しきい値とのいずれも超えない場合、探索ウィンドウを広げること又は受信機の感度を高めることの少なくとも１つを備える一般探索モードを開始することと、を備える」ことが追加された結果、この拒絶の理由は解消した。
第７　むすび
　以上のとおり、本願発明１、３、４、９−１１は、引用発明、引用文献９、１０に記載された事項に基づいて、本願発明２は、引用発明、引用文献２、９，１０に記載された事項に基づいて、本願発明５は、引用発明、引用文献３、４、９、１０に記載された事項に基づいて、本願発明６は、引用発明、引用文献４−６、９、１０に記載された事項に基づいて、本願発明７、８は、引用発明、引用文献７、９、１０に記載された事項に基づいて、当業者が容易に発明できたものではない。
　したがって、原査定の拒絶の理由によっては、本願を拒絶することはできない。
　また、他に本願を拒絶すべき理由を発見しない。
　よって、結論のとおり審決する。